(57)【要約】      （修正有）【課題】普通に素振りをすることで、体幹部の捻じりと捻じり戻しを強化する素振り練習器具を提供する。【解決手段】素振りをすることにより、先端部材２が先端側に移動して素振り練習器具１の全長が伸長し、遠心力が働きやすくなる。【選択図】図１
2013184041.tif 000002
【特許請求の範囲】
【請求項１】
一方の端部に座金を有する筒状のシャフトと、
前記筒状のシャフトを介して取り付けられる移動可能な先端部材と、
前記先端部材とは反対側に取り付けられる固定された基端部材と、
を有し、
前記先端部材の軸方向の上部には前記座金より大径の円孔部を形成し、
素振りをした際に、前記先端部材が前記シャフトの軸方向に沿って先端側に移動し、前記座金が前記座金より小径の前記円孔部に衝突して制止することができることを特徴とするスイングの捻り戻しを強化する素振り練習器具。
【請求項２】
前記スイングの捻じり戻しを強化する素振り練習器の、前記先端部材の下部と前記基端部材の上部には磁石を取り付けることを特徴とするスイングの捻り戻しを強化する素振り練習器具。
【請求項３】
前記先端部の軸方向の上部に形成する円孔部内には、前記シャフトに巻き付けたコイルバネが位置することを特徴とするスイングの捻り戻しを強化する素振り練習器具。
【発明の詳細な説明】
【技術分野】
【０００１】  本発明は、野球、ソフトボール、テニス、ゴルフ、剣道などにおいて素振りの捻じりと捻じり戻しを強化する練習器具に関するものである。
【背景技術】
【０００２】  素振りの捻じり戻し強化や切り返しを早くするトレーニング器具がなかった。
【先行技術文献】
【特許文献】
【０００３】
【特許文献１】  特願２００５−３６７１２０
【発明の概要】
【発明が解決しようとする課題】
【０００４】  特許文献１に記載の素振り練習器は、インサイドアウトのスイングを体得するための素振り練習器であり、素早い大きな捻じり戻しを強化する練習器具ではなかった。【０００５】  本発明は、野球、ソフトボール、テニス、ゴルフ、剣道などの素振り練習をするスポーツにおいて、遠心力でバックスイングを大きく取ることができ且つ素早い反動によりフォロースルーで大きく振り抜くことができる体の捻じりと捻じり戻しを強化する練習器具を提供する。
【課題を解決するための手段】
【０００６】  請求項１に記載の本発明のスイングの捻じり戻しを強化する素振り練習器具は、一方の端部に座金を有する筒状のシャフトと、筒状のシャフトを介して取り付けられる移動可能な先端部材と、先端部材とは反対側に取り付けられる固定された基端部材と、を有し、先端部材の軸方向の上部には座金より大径の円孔部を形成し、素振りをした際に、先端部材がシャフトの軸方向に沿って先端側に移動し、座金が座金より小径の円孔部に衝突して制止することができることを特徴とする。【０００７】  請求項２に記載の本発明のスイングの捻じり戻しを強化する素振り練習器具は、先端部材の下部と基端部材の上部には磁石を取り付けることを特徴とする。【０００８】  請求項３に記載の本発明のスイングの捻じり戻しを強化する素振り練習器具は、先端部材の軸方向の上部に形成する円孔部内には、シャフトに巻き付けたコイルバネが位置することを特徴とする。
【発明の効果】
【０００９】  請求項１に記載の本発明のスイングの捻じり戻しを強化する素振り練習器具は、素振りをすることにより、先端部材が先端側に移動して本発明の素振り練習器具の全長が伸長し、遠心力が働きやすくなる。その遠心力を利用してバックスイングの動作を行った場合、通常のバットやゴルフクラブでバックススイングをした場合と比較して本発明の素振り練習器具を使用した場合には、体幹部が大きく捻じられ体幹部を強化できるという優れた効果を発揮する。【００１０】  また、バックスイングが大きくなった分、体幹部の捻じり戻しが大きくなり体幹部を始め上半身、下半身の強化できるという優れた効果を発揮する。【００１１】  請求項２に記載の本発明のスイングの捻じり戻しを強化する素振り練習器具は、先端部材の下部と基端部材の上部に磁石を取り付けることで、先端部材と基端部材が１つに接合された状態となり、振り出す前は全長がコンパクトで短くなっている。全長が短いことで、軽く速いバックスイングができるという優れた効果を発揮する。【００１２】  また、先端部材と基端部材にそれぞれ取り付けてある磁石同士が引き合っている状態のものを引き離すには、アドレスから素早くバックスイングに移行しなければ先端部材が先端側に移動することができないので、体を大きく捻じって素早いバックスイングをしなければならず、素早いバックスイングができることで、トップからの切り返しからフォロースルーまでが速くなるという優れた効果を発揮する。【００１３】  請求項３に記載の本発明の素振り練習器具は、シャフトに形成する座金と移動可能な先端部材の内部にコイルバネをシャフトに巻き付けて取り付けることで、素振りの際にしなった感触を味わえることと、先端部材と基端部材が衝突した時の振動・衝撃を吸収することができるという優れた効果を発揮する。【００１４】  また、先端部材と基端部材が衝突することでコイルバネが縮むように形成するのは、コイルバネは縮んだ後は伸びようとする性質を持っていることから、コイルバネが伸びる反動を利用してトップから瞬時に切り返しを行うことで、さらにヘッドスピードを上げることができ、加えてインパクトゾーンも広くなるという優れた効果を発揮する。
【図面の簡単な説明】
【００１４】
【図１】  本発明のスイングの捻じり戻しを強化する素振り練習器具の斜視図である。
【図２】  本発明のスイングの捻じり戻しを強化する素振り練習器具のヘッドが伸びた状態の斜視図である。
【図３】  本発明のスイングの捻じり戻しを強化する素振り練習器具の断面図である。
【図４】  本発明のスイングの捻じり戻しを強化する素振り練習器具の断面図である。
【図５】  本発明のスイングの捻じり戻しを強化する素振り練習器具を構えた図である。
【図６】  本発明のスイングの捻じり戻しを強化する素振り練習器具を持ちバックスイングに入った図である。
【図７】  本発明のスイングの捻じり戻しを強化する素振り練習器具を持ちフォロースルーに入った図である。
【発明を実施するための最良の形態】
【００１５】  以下、本発明を図面に示す実施形態図１〜７に基づき説明をする。ただし、以下の実施するための形態は、本発明のスイングの捻じり戻しを強化する素振り練習器具の一例として説明するものであり、この説明の図の項に限定されるものではない。【００１６】  図１は、本発明のスイングの捻じり戻しを強化する素振り練習器具１の斜視図である。先端部材２、座金３、基端部材４から構成される。【００１７】  図２は、本発明の本発明のスイングの捻じり戻しを強化する素振り練習器具１の斜視図である。先端部材２、基端部材４、シャフト５、先端部材の下部に取り付ける磁石６ａ、基端部材の上部に取り付ける磁石６ｂから構成される。図１は磁石６ａと６ｂが磁力で接合された状態となっているが、図２は磁石６ａと６ｂが離れた状態であり全長が伸長しているものである。【００１８】  図３は、本発明の本発明のスイングの捻じり戻しを強化する素振り練習器具１の断面図である。先端部材２、座金３、基端部材４、シャフト５、先端部材２の下部に取り付けられた磁石６ａ、基端部材３の上部に取り付けられた磁石６ｂ、丸孔７、コイルバネ８から構成される。本発明のスイングの捻じり戻しを強化する素振り練習器具１の全長が短い状態の断面図である。素振り練習器具の全長が短い場合は、磁石６ａと６ｂが磁力で引き合っている状態である。また、コイルバネ８は縮む前の状態である。【００１９】  図４は、本発明のスイングの捻じり戻しを強化する素振り練習器具１の断面図である。先端部材２、座金３、基端部材４、シャフト５、先端部材２の下部に取り付けられた磁石６ａ、基端部材の上部に取り付けられた磁石６ｂ、円孔７、コイルバネ８から構成される。本発明のスイングの捻じり戻しを強化する素振り練習器具１の全長が長くなった状態の断面図である。素振り練習器具の全長が長い場合は、先端部材２がシャフト５上を先端側に移動して座金３が円孔７の下部に衝突しヘッドの移動が止まっている状態である。座金３と円孔７の下部の間のコイルバネ８は縮んだ状態である。【００２０】  コイルバネ８はシャフト５に巻き付け先端部材２の円孔の内部に取り付ける。コイルバネ８の役割はいろいろあるが、一つは、座金３と丸孔７の下部が衝突した際の振動・衝撃を吸収するためのものである。二つ目は、バックスイングで縮んだコイルバネ８は、トップの位置では元の形に戻りろうと反動で先端部材２を押し返そうとする。このコイルバネ８が元に戻ろうとする反動を利用してトップからの切り返しのスイングを行うことで、さらにヘッドスピードを上げることができる。また、コイルバネ８が縮んだ状態から元に戻ろうと伸び始めた瞬間がシャフトがしなっているような手に伝わる感触を作り出す役割も持っている。【００２１】  図５は、例えばゴルフのスイングである。アドレスで構えた時は本発明のスイングの捻じり戻しを強化する素振り練習器具１は、磁石６ａ、６ｂの効果で接合され短い状態にある。本発明の素振り練習器具１が短い状態にあるため、アドレスからバックスイングに至るまでコンパクトで素早い振り出しができる。素早い振り出しをすることにより、本発明の素振り練習器具１は、先端部材２の下部に取り付けられた磁石６ａが基端部材４の上���に取り付けられた磁石６ｂから離れるようになっている。【００２２】  図６は、本発明のスイングの捻じり戻しを強化する素振り練習器具１を持ちバックスイングに入った図である。図５のアドレスとは明らかに違い本発明の捻じり戻しを強化する素振り練習器具１の全長が長く伸びている。全長が長く伸びることで、バックスイング時にさらに遠心力が働くようになり、通常のゴルフクラブを持ってスイングをした時よりも体幹部の捻れが大きくなり、関節、筋肉等の可動域が広がる。可動域の広がりは神経が記憶し徐々に大きな可動域で運動ができるようになり、おのずと体幹部も強化されていく。【００２３】  また、ヘッドを残したスイングをした場合、俗に言うタメを使ったスイングの場合は、先端部材２が先端側に移動するのではなく、シャフト５が基端側へ移動するのも本発明のスイングの捻じり戻しを強化する素振り練習器具１の特徴である。【００２４】  図７は、本発明のスイングの捻じり戻しを強化する素振り練習器具１を持ちフォロースルーに入った図である。バックスイングから全長が長く伸びた本発明の素振り練習器具１は、インパクト、フォロースルーまで全長が長く伸びた状態で振りぬくことで、大きな遠心力を利用することができる。バックスイングで可動域が広がった分大きな体の捻じり戻しができ、加えて遠心力との相乗効果で大きなフォロースルー作ることができる。フォロースルーを大きくすることはスイングスピードを向上させることに繋がる。
【産業上の利用可能性】
【００２４】  体の捻じりと捻じり戻しを強化することで、体力が一段と向上し、競技における技術、レベルの底上げを可能にする。
【符号の説明】
【００４２】    １    スイングの捻じり戻しを強化する素振り練習器具
２    先端部材
３    座金
４    基端部材
５    シャフト
６ａ、６ｂ    磁石
７    丸孔
８    コイルバネ
【図１】
2013184041.tif 000003
【図２】
2013184041.tif 000004
【図３】
2013184041.tif 000005
【図４】
2013184041.tif 000006
【図５】
2013184041.tif 000007
【図６】
2013184041.tif 000008
【図７】
2013184041.tif 000009